(57)【特許請求の範囲】
【請求項１】
地下孔に設置される箱体の天井面に設けられるとともに、ネットワーク変圧器側およびネットワーク母線側の主回路にそれぞれ接続され、且つ前記主回路の相回転を測定する検相用端子と、
前記検相用端子に前記箱体外から着脱自在に接続される検相用プラグとを備え、
前記箱体の気密を保った状態で、前記検相用プラグが前記検相用端子に接続固定されることを特徴とする金属閉鎖形スイッチギヤ。
【発明の詳細な説明】
【技術分野】
【０００１】
本発明は、金属閉鎖形スイッチギヤに係り、特にスポットネットワーク受変電設備のプロテクタ盤として用いられる金属閉鎖形スイッチギヤに関する。
【背景技術】
【０００２】
従来、この種のビル、工場などのスポットネットワーク受変電設備のプロテクタ盤として用いられる金属閉鎖形スイッチギヤは、ネットワーク変圧器と負荷間に設けられ、負荷の保護が行われる。そして、これらのネットワーク変圧器や金属閉鎖形スイッチギヤは、電気室の据付面積を縮小化するため、一体化されているものが知られている（例えば、特許文献１参照。）。
【特許文献１】実開平５−１１７０６号公報  （第６ページ、図１）
【発明の開示】
【発明が解決しようとする課題】
【０００３】
上記の従来の金属閉鎖形スイッチギヤにおいては、次のような問題がある。  
最近のスポットネットワーク受変電設備は、道路などに面した地下孔に設置されることがある。このため、プロテクタ盤として用いられる金属閉鎖形スイッチギヤは、冠水にも耐え得るようにガスケットやOリングを用いた気密構造が採用されている。しかしながら、スポットネットワーク受変電設備のネットワーク変圧器などの点検後においては、主回路がネットワークを組んでいるので、検相が重要な点検項目であり、その都度金属閉鎖形スイッチギヤの気密構造を開放し、主回路導体に検相器を接続して相回転を測定していた。
【０００４】
このため、ネットワーク変圧器などの点検後に、金属閉鎖形スイッチギヤの気密構造を開放しなくても主回路の検相ができ、検相作業を容易にし得るものが望まれていた。
【０００５】
本発明は上記問題を解決するためになされたもので、気密構造を開放しなくても主回路の検相が可能となる金属閉鎖形スイッチギヤを提供することを目的とする。
【課題を解決するための手段】
【０００６】
上記目的を達成するために、本発明の金属閉鎖形スイッチギヤは、地下孔に設置される箱体の天井面に設けられるとともに、ネットワーク変圧器側およびネットワーク母線側の主回路にそれぞれ接続され、且つ前記主回路の相回転を測定する検相用端子と、前記検相用端子に前記箱体外から着脱自在に接続される検相用プラグとを備え、前記箱体の気密を保った状態で、前記検相用プラグが前記検相用端子に接続固定されることを特徴とする。
【発明の効果】
【０００７】
本発明によれば、箱体内の一側面に主回路と接続された検相用端子を設け、箱体外からこの検相用端子に着脱自在で気密を保って検相用プラグを接続するようにしているので、スポットネットワーク受変電設備の点検後に、箱体の気密構造を開放しなくても主回路の検相を行うことができ、検相作業を容易にすることができる。
【発明を実施するための最良の形態】
【０００８】
以下、図面を参照して本発明の実施例を説明する。
【実施例】
【０００９】
本発明の実施例に係る金属閉鎖形スイッチギヤを図１乃至図４を参照して説明する。図１は、本発明の実施例に係る金属閉鎖形スイッチギヤの構成を示す正面図、図２は、本発明の実施例に係る金属閉鎖形スイッチギヤの単線結線図、図３は、本発明の実施例に係る金属閉鎖形スイッチギヤの運転時の要部拡大図、図４は、本発明の実施例に係る金属閉鎖形スイッチギヤの検相時の要部拡大図である。なお、金属閉鎖形スイッチギヤをスポットネットワーク受変電設備のプロテクタ盤を用いて説明する。
【００１０】
図１に示すように、箱体１内には、図示上段にプロテクタヒューズ２、中段にプロテクタ遮断器３、下段にネットワークリレー４および制御電源５が設けられている。なお、図１は、気密をするための図示しない蓋を取り外した状態である。
【００１１】
以下、図１および図２を参照して説明する。箱体１の図示上部には、ネットワーク変圧器側ブッシング６が設けられ、接続導体７によりプロテクタ遮断器３の一方の主回路端子に接続されている。接続導体７には、計器用変流器８が接続され、二次側が短絡片９と保護抵抗１０とを介してネットワークリレー４に接続されている。プロテクタ遮断器３の他方の主回路端子には、プロテクタヒューズ２が接続され、箱体１の図示上部（図２では図示下部）に設けたネットワーク母線側ブッシング１１に接続されている。
【００１２】
箱体１内のネットワーク変圧器側ブッシング６端子には、計器用変圧器１２ａが保護抵抗１０を介して接続されている。計器用変圧器１２ａの二次側には、箱体１と気密を保って、主回路の相回転を測定する検相用端子１３が接続されている。ネットワーク母線側ブッシング１１端子にも、計器用変圧器１２ｂが保護抵抗１０を介して接続され、二次側が検相用端子１３に接続されている。これらの計器用変圧器１２ａ、１２ｂの二次側は、ネットワークリレー４にも接続されている。
【００１３】
また、ネットワーク変圧器側ブッシング６端子には、計器用変圧器１４ａが保護抵抗１０を介して接続されており、二次側が制御電源５に接続されている。ネットワーク母線側ブッシング１１端子にも、計器用変圧器１４ｂが保護抵抗１０を介して接続されており、二次側が制御電源５に接続されている。制御電源５からは、非常用電源端子１５が取り出されている。
【００１４】
箱体１外の図示上部（天井部）には、プロテクタ遮断器３などを制御する制御用プラグ１６がＯリングを介してボルト１７で取り付けられている。また、検相用端子１３に接続される検相用プラグ１８が着脱自在にＯリングやガスケットを介してボルト１７で取り付けられている。検相用プラグ１８は、多芯ケーブルであり三相分の検相が行えるようになっている。また、検相用プラグ１８を外したときには、その開口部を気密に塞ぐための蓋１９が別置されている。なお、ネットワーク変圧器側ブッシング６とネットワーク母線側ブッシング１１は、保護カバー２０で保護されている。制御用プラグ１６は、支え板２１で固定されるようになっている。
【００１５】
次に、スポットネットワーク受変電設備のネットワーク変圧器などの点検後の主回路の検相方法を図３および図４を参照して説明する。
【００１６】
図３に示すように、スポットネットワーク受変電設備の運転中には、蓋１９が取り付けられ、検相用プラブ１８を挿入する開口部の気密が保持されている。そして、ネットワーク変圧器などの点検後には、図４に示すように、蓋１９を外し、検相用プラブ１８を開口部に挿入し、検相用端子１３と接続する。検相用プラグ１８の端子に図示しない検相器を接続すれば、主回路の相回転を測定することができる。
【００１７】
相回転の測定時においては、図示しないＯリングやガスケットを介して検相用プラブ１８をボルト１７で固定し、気密を保っているので、例えば冠水などに耐え得るものとなる。即ち、箱体１の気密構造を開放することなく、気密を保った状態で検相用プラグ１８を検相用端子１３に接続固定することができる。検相後は、検相用プラグ１８を外し、蓋１９を取り付ける。
【００１８】
上記実施例１の金属閉鎖形スイッチギヤによれば、箱体１の天井部に主回路と接続された検相用端子１３を設け、箱体１外からこの検相用端子１３に着脱自在の検相用プラグ１８を接続するようにしているので、スポットネットワーク受変電設備の点検後に、箱体１の気密構造を開放しなくても主回路の相回転を測定することができ、検相作業を容易にすることができる。
【００１９】
なお、本発明は、上記実施例に限定されるものではなく、発明の要旨を逸脱しない範囲で、種々変形して実施することができる。上記実施例では、検相用プラグ１８を箱体１の天井部で着脱するようにして説明したが、箱体１の周りに検相用プラグ１８を着脱するスペースがあれば、検相用プラグ１８を接続固定する個所が箱体１の側面や床面でもよい。なお、地下孔に設置される金属閉鎖形スイッチギヤでは、箱体１の天井部に比較的に作業スペースがとれ易い。
【図面の簡単な説明】
【００２０】
【図１】本発明の実施例に係る金属閉鎖形スイッチギヤの構成を示す正面図。
【図２】本発明の実施例に係る金属閉鎖形スイッチギヤの単線結線図。
【図３】本発明の実施例に係る金属閉鎖形スイッチギヤの運転時の要部拡大図。
【図４】本発明の実施例に係る金属閉鎖形スイッチギヤの検相時の要部拡大図。
【符号の説明】
【００２１】
１  箱体
２  プロテクタヒューズ
３  プロテクタ遮断器
４  ネットワークリレー
５  制御電源
６  ネットワーク変圧器側ブッシング
７  接続導体
８  計器用変流器
９  短絡片
１０  保護抵抗
１１  ネットワーク母線側ブッシング
１２ａ、１２ｂ、１４ａ、１４ｂ  計器用変圧器
１３  検相用端子
１５  非常用電源端子
１６  制御用プラグ
１７  ボルト
１８  検相用プラグ
１９  蓋
２０  保護カバー
２１  支え板
【図１】
0004686343.tif 000002
【図２】
0004686343.tif 000003
【図３】
0004686343.tif 000004
【図４】
0004686343.tif 000005